【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
識別情報の可変表示の実行条件が成立した後、可変表示の開始条件が成立したことにもとづいて、各々を識別可能な複数種類の識別情報を可変表示する可変表示部を備え、前記可変表示部における識別情報の表示結果があらかじめ定められた特定表示結果となったときに、遊技者にとって有利な特定遊技状態に制御する遊技機であって、
前記特定遊技状態に制御するか否かを決定するために使用される数値データを所定の数値範囲で更新する数値データ更新手段と、
識別情報の可変表示の実行条件が成立したときに、前記数値データ更新手段から数値データを抽出して抽出数値データとする数値データ抽出手段と、
前記実行条件が成立したときに前記抽出数値データが前記特定遊技状態に制御することに対応した判定データと合致するか否かをあらかじめ判定する開始条件成立前判定処理を実行する開始条件成立前判定手段と、
前記開始条件成立前判定処理により前記抽出数値データが前記判定データと合致すると判定されたときに、遊技機に設けられている演出装置を用いて所定の予告演出を実行する開始条件成立前演出実行手段と、
前記開始条件成立前判定処理により前記抽出数値データが前記判定データと合致すると判定されたときには、前記開始条件成立前演出実行手段が前記所定の予告演出を開始してから、当該開始条件成立前判定処理による判定に対応する特定遊技状態が終了するまで、新たな実行条件の成立に伴う前記開始条件成立前演出実行手段による前記所定の予告演出の実行を禁止する開始条件成立前演出禁止手段と
を備えたことを特徴とする遊技機。
【手続補正２】
【補正対象書類名】明細書
【補正対象項目名】００１２
【補正方法】変更
【補正の内容】
【００１２】
本発明による遊技機は、識別情報の可変表示の実行条件（例えば、始動入賞口に遊技球が入賞したこと）が成立した後、可変表示の開始条件（例えば、前回の変動の終了または大当り遊技の終了）が成立したことにもとづいて、各々を識別可能な複数種類の識別情報（例えば、飾り図柄）を可変表示する可変表示部（例えば、演出表示装置９における図柄表示エリア９Ｌ，９Ｃ，９Ｒ）を備え、可変表示部における識別情報の表示結果があらかじめ定められた特定表示結果（例えば、大当り図柄）となったときに、遊技者にとって有利な特定遊技状態（例えば、大当り遊技状態）に制御する遊技機であって、特定遊技状態に制御するか否かを決定するために使用される数値データ（例えば、ランダムＲ）を所定の数値範囲で更新する数値データ更新手段（例えば、乱数回路５０３）と、識別情報の可変表示の実行条件が成立したときに、数値データ更新手段から数値データを抽出して抽出数値データとする数値データ抽出手段（例えば、遊技制御用マイクロコンピュータ５６０におけるステップＳ２１３の処理を実行する部分）と、実行条件が成立したときに抽出数値データが特定遊技状態に制御することに対応した判定データと合致するか否かをあらかじめ判定する開始条件成立前判定処理を実行する開始条件成立前判定手段（例えば、遊技制御用マイクロコンピュータ５６０におけるステップＳ２２１〜Ｓ２２２の処理を実行する部分）と、開始条件成立前判定処理により抽出数値データが判定データと合致すると判定されたときに、遊技機に設けられている演出装置を用いて所定の予告演出を実行する開始条件成立前演出実行手段（例えば、演出制御用マイクロコンピュータ１００におけるステップＳ７０７，Ｓ８２２〜Ｓ８２６，Ｓ８４２〜Ｓ８４４の処理を実行する部分）と、開始条件成立前判定処理により抽出数値データが判定データと合致すると判定されたときには、開始条件成立前演出実行手段が所定の予告演出を開始してから、当該開始条件成立前判定処理による判定に対応する特定遊技状態が終了するまで、新たな実行条件の成立に伴う開始条件成立前演出実行手段による所定の予告演出の実行を禁止する開始条件成立前演出禁止手段（例えば、遊技制御用マイクロコンピュータ５６０におけるステップＳ２３１，Ｓ１５１Ｂの処理を実行する部分）とを備えたことを特徴とする。
【手続補正３】
【補正対象書類名】明細書
【補正対象項目名】００１９
【補正方法】変更
【補正の内容】
【００１９】
請求項１記載の発明では、開始条件成立前判定処理により抽出数値データが判定データと合致すると判定されたときに、遊技機に設けられている演出装置を用いて所定の予告演出を実行する開始条件成立前演出実行手段と、開始条件成立前判定処理により抽出数値データが判定データと合致すると判定されたときには、開始条件成立前演出実行手段が所定の予告演出を開始してから、当該開始条件成立前判定処理による判定に対応する特定遊技状態が終了するまで、新たな実行条件の成立に伴う開始条件成立前演出実行手段による所定の予告演出の実行を禁止する開始条件成立前演出禁止手段とを備えているので、所定の予告演出が行われた後、特定遊技状態が終了するまで所定の予告演出が実行されず、どの実行条件の成立にもとづく所定の予告演出であるのかを容易に認識できる。
【手続補正４】
【補正対象書類名】明細書
【補正対象項目名】００２０
【補正方法】変更
【補正の内容】
【００２０】
また、遊技制御手段が、開始条件成立前判定手段と、開始条件成立前判定手段の判定結果を特定可能なコマンドを送信する判定結果コマンド送信手段とを含み、演出制御手段が、開始条件成立前演出実行手段と、判定結果コマンド送信手段が送信したコマンドにもとづいて、開始条件成立前演出実行手段による所定の演出の内容を決定する演出内容決定手段とを含むことにより、遊技制御手段の所定の演出に関する制御負担を軽減することができる。
【手続補正５】
【補正対象書類名】明細書
【補正対象項目名】００２１
【補正方法】変更
【補正の内容】
【００２１】
また、開始条件成立前演出禁止手段が、開始条件成立前判定手段による開始条件成立前判定処理の実行を許容するが、判定結果コマンド送信手段によるコマンドの送信を禁止することによって、開始条件成立前演出実行手段による予告演出の実行を禁止するように構成することにより、特定遊技状態が終了するまでの間に予告演出が重複して実行されることを確実に防止できる。
【手続補正６】
【補正対象書類名】明細書
【補正対象項目名】００２２
【補正方法】変更
【補正の内容】
【００２２】
また、開始条件成立前演出禁止手段は、開始条件成立前判定手段による開始条件成立前判定処理の実行を禁止することによって、開始条件成立前演出実行手段による予告演出の実行を禁止するように構成することにより、特定遊技状態が終了するまでの間に予告演出が重複して実行されることを確実に防止できる。
【手続補正７】
【補正対象書類名】明細書
【補正対象項目名】００２３
【補正方法】変更
【補正の内容】
【００２３】
また、複数種類の可変表示パターンを示すデータが設定された可変表示パターンテーブルと、識別情報の可変表示を開始するときに、可変表示パターンテーブルから一の識別情報の可変表示パターンを決定する可変表示パターン決定手段とを備え、可変表示パターン決定手段が、開始条件成立前判定手段の判定結果に関わらず、同一の可変表示パターンテーブルを用いて可変表示パターンを決定するように構成することにより、可変表示時間が変更されて遊技者に不利益が与えられることを防止することができる。
【手続補正８】
【補正対象書類名】明細書
【補正対象項目名】００２４
【補正方法】変更
【補正の内容】
【００２４】
また、遊技制御手段が、開始条件成立前判定手段と、保留記憶数を特定可能であるとともに開始条件成立前判定手段の判定結果を特定可能な一のコマンドを送信するコマンド送信手段とを含み、演出制御手段が、可変表示の実行条件が成立したが未だ開始されていない識別情報の可変表示の回数である保留記憶数を報知する保留記憶数報知手段を含み、コマンド送信手段が、開始条件成立前演出禁止手段により開始条件成立前演出実行手段による予告演出の実行が禁止されているときに可変表示の実行条件が成立した場合には、開始条件成立前演出禁止手段により抽出数値データが特定遊技状態に制御することに対応した判定データと合致しないと判定されたことに対応するコマンドを送信するように構成することにより、コマンドの種類を増やさないようにして特定遊技状態が終了するまでの間に予告演出が重複して実行されることを確実に防止し、また、予告演出の実行が禁止されているときに、保留記憶数報知手段による保留記憶数の報知に影響が与えられることはない。
【手続補正９】
【補正対象書類名】明細書
【補正対象項目名】００２５
【補正方法】変更
【補正の内容】
【００２５】
また、遊技制御手段が、可変表示の実行条件が成立したが未だ開始されていない識別情報の可変表示の回数である保留記憶数を示すデータ記憶する保留記憶数記憶手段と、開始条件成立前判定手段の判定結果を特定可能なコマンドを送信する判定結果コマンド送信手段とを含み、判定結果コマンド送信手段が、保留記憶がないことを示すデータが保留記憶数記憶手段に記憶されているときに可変表示の実行条件が成立した場合には、判定結果を特定可能なコマンドを送信しないように構成することにより、遊技制御手段から演出制御手段に対して無意味なコマンドが送信されることが防止される。